(57)【要約】【課題】  タブレット端末の使用者が、タブレット端末を把持しつつ、快適にキー入力操作を行うことができるタブレット端末用入力装置を提供することを課題とする。【解決手段】  タブレット端末Ｔへ信号を送信するタブレット端末用入力装置Ａであって、前記タブレット端末Ｔが着脱可能な本体部１と、前記タブレット端末Ｔの液晶画面Ｔ１側に設けられる第１の入力部１１と、前記タブレット端末Ｔの背面側に設けられる第２の入力部２１と、を備えていることを特徴とする構成となっている。【選択図】図２
2017016621.tif 000002
【特許請求の範囲】
【請求項１】
タブレット端末へ信号を送信するタブレット端末用入力装置であって、
前記タブレット端末が着脱可能な本体部と、
前記タブレット端末の画面側に設けられる第１の入力部と、
前記タブレット端末の背面側に設けられる第２の入力部と、を備えていることを特徴とする、タブレット端末用入力装置。
【請求項２】
前記第１の入力部は、前記本体部の縁部周辺に設けられており、
前記第２の入力部は、前記第１の入力部の裏側周辺に設けられていることを特徴とする、請求項１に記載のタブレット端末用入力装置。
【請求項３】
前記本体部を、親指と親指以外の４本指とで把持した際に、
前記第１の入力部は、前記親指が接触可能な位置に配置され、
前記第２の入力部は、前記親指以外の４本指が接触可能な位置に配置されていることを特徴とする、請求項１または請求項２に記載のタブレット端末用入力装置。
【請求項４】
前記タブレット端末の画面側及び背面側に取り付け可能なカバー部をさらに備え、
前記第２の入力部は、前記カバー部に設けられていることを特徴とする、請求項１〜３の何れかに記載のタブレット端末用入力装置。
【請求項５】
前記カバー部には、前記第１の入力部を露出させる、露出部が設けられていることを特徴とする、請求項４に記載のタブレット端末用入力装置。
【請求項６】
前記本体部は、前記タブレット端末を収納可能な厚みを有する平板状に形成されており、
前記タブレット端末の画面を露出する開口窓が設けられた正面部と、
前記タブレット端末を支持する背面部と、を備え、
前記第２の入力部は、前記背面部に設けられていることを特徴とする、請求項１〜３の何れかに記載のタブレット端末用入力装置。
【請求項７】
前記背面部には、本体部を支持するための支持部が設けられていることを特徴とする、請求項６に記載のタブレット端末用入力装置。
【請求項８】
前記第２の入力部は、高さを有する機械式ボタンにより構成されていることを特徴とする、請求項１〜７の何れかに記載のタブレット端末用入力装置。
【請求項９】
前記第２の入力部のキー圧力は、前記第１の入力部のキー圧力よりも低く設定されていることを特徴とする、請求項１〜８の何れかに記載のタブレット端末用入力装置。
【請求項１０】
前記第２の入力部のキー配列は、前記タブレット端末の下方向に配置されるキー程、前記タブレット端末の中心に近い位置に配置されていることを特徴とする、請求項１〜９の何れかに記載のタブレット端末用入力装置。
【発明の詳細な説明】
【技術分野】
【０００１】
本発明は、タブレット端末へ信号を送信するタブレット端末用入力装置に関する。
【背景技術】
【０００２】
近年、液晶画面などの表示部分にタッチパネルを搭載し、このタッチパネルを指やペンでタッチすることにより操作を行うタブレット端末が広く普及している。このタブレット端末においては、物理キーボード（ハードウェアキーボード）は常設されておらず、タッチパネル上に表示される仮想キーボード（ソフトウェアキーボード）をタッチすることにより、キー入力操作が行えるよう構成されている
【０００３】
このようにタブレット端末は、物理キーボードを設ける必要が無いため、持ち運びが極めて容易である。また、机などの平面にキーボードを設置してキー入力操作を行う従来のパソコンとは異なり、片手でタブレット端末を保持しながら、もう片方の手を使って操作することができる。
【０００４】
一方で、文字を大量に入力したい時や、高速にキー入力を行いたい時などは、物理キーボード等の入力装置を用いた方が好ましい場合もある。その際には、タブレット端末と通信可能な物理キーボードを用いて、タブレット端末へのキー入力操作が行われる。しかしながら、そのような場合には、タブレット端末とは別に物理キーボードを持ち歩く必要があり、携帯性を損ねてしまうという問題があった。
【０００５】
上記のような問題に対し、特許文献１には、入力装置を使いたいと所望したときに、タブレット端末の一端に接続されてキーボードを構成し、使わないときにはタブレットとしての使い勝手を低下させないよう、タブレット端末の背面に固定される入力装置の技術が記載されている。このように、入力装置をタブレット端末の背面に重ねて携帯できるように構成することにより、携帯性を向上させることができる。
【先行技術文献】
【特許文献】
【０００６】
【特許文献１】特開２０１４−２３５７０３号公報
【発明の概要】
【発明が解決しようとする課題】
【０００７】
ところで、タブレット端末の優れた携帯性をさらに発揮させるためには、携帯しながらキー入力操作を快適に行えることが望ましい。ところが、タブレット端末においては、上述したように、片手で仮想キーボードにタッチ入力という方法が採用されており、文字を大量・高速に入力したい場合に、快適なキー入力を行うことができなかった。
【０００８】
また、特許文献１に記載のような入力装置を用いる場合には、入力装置やタブレット端末を机などの平面箇所に設置して、両手を使用してキー入力を行う必要がある。そのため、平面箇所に設置できない場合（例えば、立った状態等）には、快適なキー入力を行うことができない。このように、従来の入力装置は、タブレット端末等を携帯しながらキー入力を行うことが想定されたものではなかった。
【０００９】
そこで本発明者は、使用者がタブレット端末を把持する位置に、キー入力を行う入力部（以下、キーともいう）を配置させ、そのキー配置を最適化することにより、タブレット端末を持ちながらであっても、快適なキー入力操作を行うことができると考えた。
【００１０】
本発明は、かかる実情に鑑み、使用者がタブレット端末を把持しつつ、快適にキー入力操作を行うことができるタブレット端末用入力装置を提供することを課題とする。
【課題を解決するための手段】
【００１１】
上記課題を解決するため、本発明に係るタブレット端末用入力装置は、タブレット端末へ信号を送信するタブレット端末用入力装置であって、前記タブレット端末が着脱可能な本体部と、前記タブレット端末の画面側に設けられる第１の入力部と、前記タブレット端末の背面側に設けられる第２の入力部と、を備えていることを特徴とする。
【００１２】
このように、タブレット端末の画面側に第１の入力部を、背面側に第２の入力部を、それぞれ設けることにより、タブレット端末を把持した時に、使用者の指が第１の入力部と第２の入力部との両方に接触して、快適なキー入力操作を行うことができる。
【００１３】
本発明の好ましい形態では、前記第１の入力部は、前記本体部の縁部周辺に設けられており、前記第２の入力部は、前記第１の入力部の裏側周辺に設けられていることを特徴とする。
このように、前記第１の入力部を前記本体部の縁部周辺に、前記第２の入力部を前記第１の入力部の裏側周辺に配置させることにより、使用者は全ての入力部に容易に接触してキー入力操作を行うことができる。
【００１４】
本発明の好ましい形態では、前記本体部を、親指と親指以外の４本指とで把持した際に、前記第１の入力部は、前記親指が接触可能な位置に配置され、前記第２の入力部は、前記親指以外の４本指が接触可能な位置に配置されていることを特徴とする。
このような構成とすることで、通常のキーボードを使用する場合と同様に１０本の指でキー入力操作を行うことができる。
【００１５】
本発明の好ましい形態では、前記タブレット端末の画面側及び背面側に取り付け可能なカバー部をさらに備え、前記第２の入力部は、前記カバー部に設けられていることを特徴とする。
このような構成とすることにより、タブレット端末の不使用時は、カバー部をタブレット端末の画面側に配置して液晶画面を保護することができる。
【００１６】
本発明の好ましい形態では、前記カバー部には、前記第１の入力部を露出させる露出部が設けられていることを特徴とする。
このような構成とすることにより、カバー部を閉じた際に、カバー部が第１の入力部を打鍵してしまうことを防ぐことができる。
【００１７】
本発明の好ましい形態では、前記本体部は、前記タブレット端末を収納可能な厚みを有する平板状に形成されており、前記タブレット端末の画面を露出する開口窓が設けられた正面部と、前記タブレット端末を支持する背面部と、を備え、前記第２の入力部は、前記背面部に設けられていることを特徴とする。
このように、本体部が正面部と背面部を有し、背面部がタブレット端末を支持するように構成したことで、本体部の強度を向上させることができる。
【００１８】
本発明の好ましい形態では、前記背面部には、本体部を支持するための支持部が設けられていることを特徴とする。
このように、背面部に支持部が設けられている事により、机上にタブレット端末を置いて使用する際に、使用者の好ましい角度に固定することができる。
【００１９】
本発明の好ましい形態では、前記第２の入力部は、高さを有する機械式ボタンにより構成されていることを特徴とする。
このように、第２の入力部が高さを有する機械式ボタンで構成されていることにより、手触りでキーの位置を確認することができ、使用者は背面を見なくともキーの位置を知覚することができる。
【００２０】
本発明の好ましい形態では、前記第２の入力部のキー圧力は、前記第１の入力部のキー圧力よりも低く設定されていることを特徴とする。
このように、第２の入力部のキー圧力を第１の入力部のキー圧力よりも低く設定することにより、使用者が容易にキー入力を行える入力装置とすることができる。ここでいうキー圧力とは、キーを押圧した時にキーが反応する圧力のことをいう。
【００２１】
本発明の好ましい形態では、前記第２の入力部のキー配列は、前記タブレット端末の下方向に配置されるキー程、前記タブレット端末の中心に近い位置に配置されていることを特徴とする。
このようなキー配置とすることにより、使用者が容易にキー入力を行える入力装置とすることができる。
【発明の効果】
【００２２】
本発明は、使用者がタブレット端末を把持しつつ、快適にキー入力操作を行うことができるタブレット端末用入力装置を提供することができる。
【図面の簡単な説明】
【００２３】
【図１】本発明の実施形態１に係るタブレット端末用入力装置の外観斜視図である。
【図２】本発明の実施形態１に係るタブレット端末用入力装置にタブレット端末を取付ける様子を示す斜視図である。
【図３】本発明の実施形態１に係るタブレット端末用入力装置のカバー部をタブレット端末の画面側に取付ける様子を示し、（ａ）はカバー部をタブレット端末の画面側に回動させる様子を示す斜視図であり、（ｂ）は回動後の正面図である。
【図４】本発明の実施形態１に係るタブレット端末用入力装置のカバー部をタブレット端末の背面側に取付ける様子を示し、（ａ）はカバー部をタブレット端末の背面側に回動させる様子を示す斜視図であり、（ｂ）は回動後の背面図である。
【図５】本発明の実施形態１に係るタブレット端末用入力装置の使用状態を示す図である。
【図６】本発明の実施形態１に係るタブレット端末用入力装置の使用状態を示し、（ａ）は正面側の斜視図であり、（ｂ）は背面側の斜視図である。
【図７】本発明の実施形態２に係るタブレット端末用入力装置の外観図を示し、（ａ）は正面図であり、（ｂ）は背面図である。
【図８】本発明の実施形態２に係るタブレット端末用入力装置にタブレット端末を取付ける様子を示す斜視図である。
【図９】本発明の実施形態２に係るタブレット端末用入力装置の支持部の使用状態を示す斜視図である。
【発明を実施するための形態】
【００２４】
以下、本発明を図面に示した好ましい実施形態１又は実施形態２について詳細に説明する。本発明の技術的範囲は、添付図面に示した実施形態に限定されるものではなく、特許請求の範囲に記載された範囲内において、適宜変更が可能である。
【００２５】
＜実施形態１＞
図１及び図２は、実施形態１に係るタブレット端末用入力装置Ａを示す斜視図である。このタブレット端末用入力装置Ａは、タブレット端末Ｔを着脱可能な本体部１と、タブレット端末Ｔの正面側及び背面側に密着させられるカバー部２と、この本体部１とカバー部２とを接続する接続部３と、を備えている。
【００２６】
本体部１は、タブレット端末Ｔの正面側に位置する第１の入力部１１と、タブレット端末Ｔが挿入される挿入部１２と、タブレット端末ＴのカメラＴ３及びホームボタンＴ４を露出させる貫通孔１３と、を有している。
【００２７】
また、この本体部１は、図２に示すように、正面から見て凹形状に形成されており、タブレット端末Ｔの液晶画面Ｔ１を露出させて、対向する２つの縁部Ｔ２を覆う形状に構成されている。
【００２８】
第１の入力部１１は、該タブレット端末用入力装置Ａを両手で把持した際に、親指で操作するのに好ましいキーが配置される。例えば、液晶画面Ｔ１を見ながら直観的に操作できる十字キー及びポインティングスティックや、キー入力の内容を確定するエンターキー等を配置することが望ましい。これらの第１の入力部１１は、０．１〜２．０ｍｍ程度の隆起を有した機械式ボタンで構成されていることが望ましいが、タッチ式のもので構成することも当然に可能である。
【００２９】
挿入部１２は、図２に示しているように、平面視でコの字型に形成されており、２つの挿入部１２がタブレット端末Ｔを挟みこむように構成されている。すなわち、本発明に係るタブレット端末用入力装置Ａに、タブレット端末Ｔを装着する場合には、この挿入部１２にタブレット端末Ｔの縁部Ｔ２を挿入することにより装着される。
また、この挿入部１２の一部に磁石等を設けて、磁力によってタブレット端末Ｔを固定するように構成しても良いし、慣用に用いられる留め具等を本体部１に設けて固定するように構成してもよい。
【００３０】
貫通孔１３は、タブレット端末ＴのカメラＴ３やホームボタンＴ４に対応する位置に設けられている。これにより、該タブレット端末用入力装置Ａの装着時であっても、この貫通孔１３によって露出されたカメラＴ３やホームボタンＴ４を使用できるように構成している。
【００３１】
カバー部２は、タブレット端末Ｔの背面側に位置する第２の入力部２１を有している。
また、このカバー部２は、図２に示すように、正面から見て凸形状に形成されており、カバー部２を液晶画面Ｔ１に密着させた時に、本体部１に設けられた第１の入力部１１を露出するよう構成されている（図１参照）。すなわち、このカバー部２は第１の入力部１１を露出させる露出部を有し、本体部１の凹形状に嵌り込むように形成されている。
【００３２】
この第２の入力部２１は、タブレット端末用入力装置Ａを両手で把持した際に、親指以外の４本指で操作するのに好ましいキーが配置される。例えば、通常のキーボード（ＵＳ配列及びＪＩＳ配列）において、４本指が使用するキー等を配置することが望ましい。加えて、タブレット端末Ｔを横から把持した際に、４本指の接触位置にＪＩＳ配列と同様のキー配列となるよう配置することが望ましい。すなわち、本実施形態においては、第２の入力部２１を長手方向に沿って４列に配列しているため、各指がそれぞれの１列を打鍵可能な構成となっている。
また、第２の入力部２１は、第１の入力部１１と同様に、機械式ボタンで構成されていることが望ましい。
【００３３】
接続部３は、本体部１とカバー部２とを接続しており、カバー部２が接続部３を軸に回動するように構成された回動機構を有している。この回動機構は、ヒンジ等が好ましく用いられ、カバー部２がタブレット端末Ｔの表面側にも裏面側にも密着可能なように構成されている。
【００３４】
また、これらの本体部１、カバー部２、接続部３の何れかには、タブレット端末Ｔに信号を送信する通信手段や、該タブレット端末用入力装置Ａを機能させる電力供給手段が設けられている。
【００３５】
通信手段は、タブレット端末Ｔに信号を送信するように構成されているインターフェースを有している。そのインターフェースは、ユニバーサル・シリアル・バス・インターフェース、無線ユニバーサル・シリアル・バス・インターフェース、ブルートゥース・インターフェース、シリアル・データ・インターフェース、および、パラレル・データ・インターフェースのうちの１つまたは複数を含んでいてもよい。
【００３６】
電力供給手段は、タブレット端末用入力装置Ａおよびインターフェースに電力を供給するように構成されている電源（例えば、バッテリ、コンデンサ、電源コネクタなど）を有している。また、タブレット端末Ｔに直接接続する場合には、タブレット端末Ｔから電力が供給されるように構成してもよい。
【００３７】
次に、該タブレット端末入力装置Ａの使用方法について詳細に説明する。
【００３８】
図３は、タブレット端末用入力装置Ａのカバー部２をタブレット端末Ｔの正面側に取付ける様子を示している。図３（ａ）は、カバー部２がタブレット端末Ｔの正面側に回動する斜視図であり、このカバー部２がタブレット端末Ｔの液晶画面Ｔ１に密着させられる様子を示している。その結果、図３（ｂ）に示すように、カバー部２がタブレット端末Ｔの液晶画面Ｔ１を覆うことにより、タブレット端末Ｔを使用しない持ち運び時には、液晶画面Ｔ１の保護カバーとして利用することができる。
【００３９】
図４は、タブレット端末用入力装置Ａのカバー部２をタブレット端末Ｔの背面側に取付ける様子を示している。図４（ａ）は、カバー部２がタブレット端末Ｔの背面側に回動する斜視図であり、このカバー部２がタブレット端末Ｔの背面に密着させられる様子を示している。その結果、図４（ｂ）に示すように、カバー部２に設けられた第２の入力部２１は、タブレット端末Ｔの背面側に露出する。
【００４０】
図５は、カバー部２をタブレット端末Ｔの背面に密着させた状態で、タブレット端末用入力装置Ａを使用する時の様子を示しており、使用者Ｍがタブレット端末用入力装置Ａの両側を把持してキー入力操作を行っている。このように、使用者Ｍはタブレット端末Ｔを把持しつつ、キー入力操作を容易に行うことができる。
【００４１】
図６は、タブレット端末用入力Ａの使用時における使用者の手Ｍ１の配置を詳しく示している。図６（ａ）は、タブレット端末Ｔの正面側を示す斜視図であり、親指を使用して第１の入力部１１にキー入力を行う様子が示されている。図６（ｂ）は、タブレット端末Ｔの背面側を示す斜視図であり、親指以外の４本指を使用して第２の入力部２１にキー入力を行う様子が示されている。
【００４２】
本発明によれば、タブレット端末Ｔの液晶画面Ｔ１側に第１の入力部１１が、背面側に第２の入力部２１が設けられていることにより、タブレット端末Ｔの使用者Ｍは、タブレット端末Ｔを把持したままキー入力を行うことができる。そのため、タブレット端末Ｔや入力装置を机などの平面に設置しなくても、立った状態でタブレット端末Ｔに高速かつ大量にキー入力を行うことができる。
【００４３】
また、本発明によれば、タブレット端末Ｔの液晶画面Ｔ１側に第１の入力部１１が設けられていることにより、タブレット端末Ｔを把持した際に、第１の入力部１１の位置を確認しながら親指で操作することができる。そのため、十字キーや、ポインティングスティック等の直観的に操作できるボタンや、エンターキー等の決定を行う重要なキーを配置して、使用者Ｍの目で確認しながらキー入力操作を行うことができる。
【００４４】
また、本発明によれば、タブレット端末Ｔの背面側に第２の入力部２１が設けられていることにより、より多くの入力部を配置させることができる。すなわち、通常何も設けられないタブレット端末Ｔの背面側のスペースを利用することにより、通常のキーボード（ＵＳ配列及びＪＩＳ配列）に設けられる標準タイプキーと同等数の入力部を設けることができる。
【００４５】
また、本発明によれば、第２の入力部２１が長手方向に沿って４列に設けられていることにより、本発明に係るタブレット端末用入力部Ａを両側から把持した際に、通常のキーボードを使用した際のタッチタイピングと同じ要領で、タイピングを行うことができる。
【００４６】
また、本発明によれば、第２の入力部２１が機械式ボタンによって構成されていることにより、背面を見なくとも触感でキーの位置を把握して、精度良くキー入力操作を行うことができる。例えば、仮に、この第２の入力部２１がダッチ式の入力部であった場合には、触っても配置が分からないため、使用者が入力部の位置を把握しづらくなってしまうことにより、タイピングの精度が落ちてしまう。そのため、機械式のボタンを採用することで、タイピングの精度を高めることができる。
【００４７】
また、本発明によれば、タブレット端末Ｔに信号を送信してキー入力操作を行うことにより、仮想キーボードを用いる必要がなく、タブレット端末Ｔの液晶画面Ｔ１の表示領域を圧迫することが無い。そのため、液晶画面Ｔ１の表示部を快適に使用することができる。
【００４８】
＜実施形態２＞
以下、実施形態２に係るタブレット端末用入力装置Ｂについて、図７〜９を参照して詳細に説明する。この実施形態２は、先の実施形態とは異なる形状の本体部４を備え、この本体部４に第１の入力部４１及び第２の入力部４２が設けられていること特徴とする。なお、同実施形態において、先の実施形態と基本的に同一の構成要素については、同一の符号を付してその説明を簡略化する。
【００４９】
この実施形態２に係るタブレット端末用入力装置Ｂは、タブレット端末Ｔを着脱可能な本体部４を備えている（図７参照）。この本体部４は、タブレット端末Ｔを収納可能な厚さを有した概略平板状に形成されており、タブレット端末Ｔの画面Ｔ１を露出する開口窓４３が設けられた正面部４ａと、タブレット端末Ｔを背面から支持する背面部４ｂと、タブレット端末Ｔを挿入する挿入口４４が設けられた上面部４ｃと、使用者の手Ｍ１が接触する側面部４ｄと、下面部４ｅと、を有している。
また、この本体部４の厚みは、１．０〜３．０ｃｍの間で形成されており、より好ましくは、１．５〜２．５ｃｍの間で形成されている。このような厚さで本体部４を形成することにより、使用者Ｍの把持しやすいタブレット端末用入力装置Ｂを構成することができる。
【００５０】
正面部４ａは、タブレット端末Ｔの画面Ｔ１を露出するための開口窓４３と、第１の入力部４１と、タブレット端末ＴのカメラＴ３を露出するための貫通孔４５と、ホームボタンＴ４に接続されるボタン４６と、を備えている（図８（ａ）参照）。
【００５１】
背面部４ｂは、第２の入力部４２と、本体部４を支持する支持部４７と、を備えている（図８（ｂ）参照）。
第２の入力部４２は、右手が接触する右手用キー４２Ｒと、左手が接触する左手用キー４２Ｌと、を有しており、右手用キー４２Ｒは本体部４の背面視で背面部４ｂの左側に、左手用キー４２Ｌは本体部４の背面視で背面部４ｂの右側に設けられている。
【００５２】
右手用キー４２Ｒは、通常のキーボードのホームポジションから右手で接触するキーを採用することが望ましい。
また、同様に、左手用キー４２Ｌは、通常のキーボードのホームポジションから左手で接触するキーを採用することが望ましい。
【００５３】
右手用キー４２Ｒと左手用キー４２Ｌのキー配列は、前記タブレット端末の下方向に配置されるキー程、前記タブレット端末の中心に近い位置に配置されており、背面視で逆ハの字状に斜めに配列されている（図８（ｂ）、図９参照）。
【００５４】
また、第２の入力部４２のキー圧力は、第１の入力部４１のキー圧力よりも低く設定されていることが望ましい。ここでいうキー圧力とは、キーを押圧した時にキーが反応する圧力のことをいう。
【００５５】
支持部４７は、回動機構を介して背面部４ｂに接続されている。この回動機構は、使用者が力を加えることで任意の角度に固定可能なトルクヒンジ等が好ましく用いられる。この支持部４７は、立ち上げて固定することで机上に任意の角度で自立可能なよう構成されている（図９参照）。
【００５６】
また、図示はしていないが、側面部４ｄには、タブレット端末Ｔのドッグコネクタやイヤホンジャックの対応する開口を設けても良い。さらに、タブレット端末の側面に設けられたボタンに接続する機構や、本体部４の電源ボタン等をさらに設けても良い。
また、下面部４ｅにはマグネット等を設けて、タブレット端末Ｔを磁力によって本体部４に固定しても良い。
【００５７】
また、この本体部４は、タブレット端末Ｔを裏返して挿入することで収納カバーとして使用することができる。すなわち、タブレット端末Ｔの使用時には、画面Ｔ１が開口窓４３から露出するように挿入されるが（図８参照）、タブレット端末Ｔの不使用時には、タブレット端末Ｔを裏返して本体部４に挿入することで、画面Ｔ１を保護する収納カバーとして利用することができる。
【００５８】
本実施形態によれば、背面部４ｂがタブレット端末Ｔの背面（又は表面）全面を支持するように構成したことで、本体部４の強度を向上させることができる。すなわち、本実施形態に係る本体部４は、背面部４ｂを有することにより、本体部４を概略板状に形成することができるため、先の実施形態１に係る凹形状に形成された本体部１に比べて、強度を向上させることができる。
【００５９】
また、本実施形態によれば、第２の入力部４２のキー圧力が、第１の入力部４１よりも低く設定してあることにより、使用者Ｍは容易にキー入力を行うことができる。すなわち、使用者Ｍは本体部４を把持しながらキー入力を行う際には、背面側に設けられた第２の入力部４２を重力に逆らって上方向にキーを押圧する必要がある。そのため、第２の入力部４２のキー圧力を第１の入力部４１よりも低く設定してあることにより、使用者Ｍは容易なキー入力を行うことができる。
【００６０】
また、本実施形態によれば、第２の入力部４２のキー配列が、背面視で逆ハの字状に斜めに配列されていることにより、使用者Ｍは容易にキー入力を行うことができる。すなわち、使用者Ｍが本体部４を把持した場合には、人差し指及び中指がタブレット端末の中心に近い位置に、小指がタブレット端末の中心に遠い位置に配置される。そのため、把持した際の各指の位置を反映したキー配置とすることにより、使用者Ｍは容易にキー入力を行うことができる。
【００６１】
また、本実施形態によれば、背面部４ｂに支持部４７が設けられていることにより、使用者は机等で快適に使用することができる。この支持部４７は、トルクヒンジによって、任意の角度に調節可能に構成されているため、机等の平坦面でタブレット端末を使用する際に、使用者Ｍの好ましい角度に固定して、快適なキー入力を行うことができる。
【００６２】
また、本発明によれば、机上のスペースを有効に使用することができる。従来のタブレット端末のキーボードやノート型パソコン等では、キーボードを机上に広げる必要があったため、机上のスペースを圧迫してしまっていた。一方、本発明は、入力部をタブレット端末の正面及び背面に配置することにより、キーボードを机上に配置する必要が無いため、机上のスペースを圧迫することなく、スペースを有効に使用することができる。
【符号の説明】
【００６３】
Ａ、Ｂ      タブレット端末用入力装置
１          本体部
１１        第１の入力部
１２        挿入部
１３        貫通孔
２          カバー部
２１        第２の入力部
３          接続部
４          本体部
４ａ        正面部
４ｂ        背面部
４ｃ        上面部
４ｄ        側面部
４ｅ        下面部
４１        第１の入力部
４２        第２の入力部
４２Ｒ      右手用キー
４２Ｌ      左手用キー
４３        開口窓
４４        挿入口
４５        貫通孔
４６        ボタン
４７        支持部
Ｔ          タブレット端末
Ｔ１        液晶画面
Ｔ２        縁部
Ｔ３        カメラ
Ｔ４        ホームボタン
Ｍ          使用者
Ｍ１        手
【図１】
2017016621.tif 000003
【図２】
2017016621.tif 000004
【図３】
2017016621.tif 000005
【図４】
2017016621.tif 000006
【図５】
2017016621.tif 000007
【図６】
2017016621.tif 000008
【図７】
2017016621.tif 000009
【図８】
2017016621.tif 000010
【図９】
2017016621.tif 000011
【手続補正書】
【提出日】平成28年2月19日(2016.2.19)
【手続補正１】
【補正対象書類名】特許請求の範囲
【補正対象項目名】全文
【補正方法】変更
【補正の内容】
【特許請求の範囲】
【請求項１】
タブレット端末へ信号を送信するタブレット端末用入力装置であって、
前記タブレット端末が着脱可能な本体部と、
前記タブレット端末の画面側に設けられる第１の入力部と、
前記タブレット端末の背面側に設けられる第２の入力部と、を備え、
前記第２の入力部のキー圧力は、前記第１の入力部のキー圧力よりも低く設定されていることを特徴とする、タブレット端末用入力装置。
【請求項２】
前記第１の入力部には、エンターキーが設けられていることを特徴とする、請求項１に記載のタブレット端末用入力装置。
【請求項３】
前記第１の入力部は、前記本体部の縁部周辺に設けられており、
前記第２の入力部は、前記第１の入力部の裏側周辺に設けられていることを特徴とする、請求項１又は請求項２に記載のタブレット端末用入力装置。
【請求項４】
前記本体部を、親指と親指以外の４本指とで把持した際に、
前記第１の入力部は、前記親指が接触可能な位置に配置され、
前記第２の入力部は、前記親指以外の４本指が接触可能な位置に配置されていることを特徴とする、請求項１〜３の何れかに記載のタブレット端末用入力装置。
【請求項５】
前記タブレット端末の画面側及び背面側に取り付け可能なカバー部をさらに備え、
前記第２の入力部は、前記カバー部に設けられていることを特徴とする、請求項１〜４の何れかに記載のタブレット端末用入力装置。
【請求項６】
前記カバー部には、前記第１の入力部を露出させる、露出部が設けられていることを特徴とする、請求項５に記載のタブレット端末用入力装置。
【請求項７】
前記本体部は、前記タブレット端末を収納可能な厚みを有する平板状に形成されており、
前記タブレット端末の画面を露出する開口窓が設けられた正面部と、
前記タブレット端末を支持する背面部と、
前記タブレット端末を挿入する挿入口が設けられた上面部と、
使用者の手が接触する側面部と、
下面部と、を有していることを特徴とする、請求項１〜４の何れかに記載のタブレット端末用入力装置。
【請求項８】
前記背面部には、本体部を支持するための支持部が設けられていることを特徴とする、請求項７に記載のタブレット端末用入力装置。
【請求項９】
前記第２の入力部は、高さを有する機械式ボタンにより構成されていることを特徴とする、請求項１〜８の何れかに記載のタブレット端末用入力装置。
【請求項１０】
前記第２の入力部のキー配列は、前記タブレット端末の下方向に配置されるキー程、前記タブレット端末の中心に近い位置に配置されていることを特徴とする、請求項１〜９の何れかに記載のタブレット端末用入力装置。
【手続補正書】
【提出日】平成28年6月15日(2016.6.15)
【手続補正１】
【補正対象書類名】特許請求の範囲
【補正対象項目名】全文
【補正方法】変更
【補正の内容】
【特許請求の範囲】
【請求項１】
タブレット端末へ信号を送信するタブレット端末用入力装置であって、
前記タブレット端末が着脱可能な本体部と、
前記タブレット端末の画面側に設けられる第１の入力部と、
前記タブレット端末の背面側に設けられる第２の入力部と、を備え、
前記第１の入力部は、前記本体部の縁部周辺に設けられ、
前記第２の入力部は、前記第１の入力部の裏側周辺に設けられ、
前記第２の入力部のキー圧力は、前記第１の入力部のキー圧力よりも低く設定されており、
前記本体部を、親指と親指以外の４本指とで把持した際に、
前記第１の入力部は、前記親指が接触可能な位置に配置され、
前記第２の入力部は、前記親指以外の４本指が接触可能な位置に配置され、
前記第２の入力部には、少なくとも文字キーが設けられていることを特徴とする、タブレット端末用入力装置。
【請求項２】
前記第１の入力部には、エンターキーが設けられていることを特徴とする、請求項１に記載のタブレット端末用入力装置。
【請求項３】
前記タブレット端末の画面側及び背面側に取り付け可能なカバー部をさらに備え、
前記第２の入力部は、前記カバー部に設けられていることを特徴とする、請求項１または請求項２に記載のタブレット端末用入力装置。
【請求項４】
前記カバー部には、前記第１の入力部を露出させる、露出部が設けられていることを特徴とする、請求項１〜３の何れかに記載のタブレット端末用入力装置。
【請求項５】
前記本体部は、前記タブレット端末を収納可能な厚みを有する平板状に形成されており、
前記タブレット端末の画面を露出する開口窓が設けられた正面部と、
前記タブレット端末を支持する背面部と、
前記タブレット端末を挿入する挿入口が設けられた上面部と、
使用者の手が接触する側面部と、
下面部と、を有していることを特徴とする、請求項１〜４の何れかに記載のタブレット端末用入力装置。
【請求項６】
前記背面部には、本体部を支持するための支持部が設けられていることを特徴とする、請求項５に記載のタブレット端末用入力装置。
【請求項７】
前記第２の入力部は、高さを有する機械式ボタンにより構成されていることを特徴とする、請求項１〜６の何れかに記載のタブレット端末用入力装置。
【請求項８】
前記第２の入力部のキー配列は、前記タブレット端末の下方向に配置されるキー程、前記タブレット端末の中心に近い位置に配置されていることを特徴とする、請求項１〜７の何れかに記載のタブレット端末用入力装置。